(57)【要約】【課題】脱臭液を含浸して空気が通過する時に泡を発生させるための空隙物からなる起泡フィルターを備え、起泡フィルターの下側に起泡フィルターから落下した脱臭液を受けて貯留するタンクを設ける必要のない泡脱臭装置を提供する。【解決手段】汚染物質を含有する空気が流れる空気流路１内に脱臭液Ｌの泡Ｂを発生させて該泡Ｂに前記汚染物質を吸着させて分解処理する泡洗浄脱臭装置であって、脱臭液Ｌを供給するための脱臭液供給手段３と、前記脱臭液供給手段３より供給される脱臭液Ｌを含浸して下方に落下しないように保持すると共に空気が通過する時に泡を発生させるための空隙物からなる起泡フィルター２１と、を備えている。【選択図】図１
2008029924.tif 000002
【特許請求の範囲】
【請求項１】
汚染物質を含有する空気が流れる空気流路内に脱臭液の泡を発生させて該泡に前記汚染物質を吸着させて分解処理する泡脱臭装置であって、脱臭液を供給するための脱臭液供給手段と、前記脱臭液供給手段より供給される脱臭液を含浸して下方に落下しないように保持すると共に空気が通過する時に泡を発生させるための空隙物からなる起泡フィルターと、を備えて成ることを特徴とする泡脱臭装置。
【請求項２】
下側が上流側となり上側が下流側となる上方向きの空気流路を形成し、前記空気流路の途中に第一の起泡フィルターを配設すると共に該第一の起泡フィルターの上側に間隔を開けて第二の起泡フィルターを配設し、前記第一の起泡フィルターと第二の起泡フィルターとの間に第一の脱臭液供給手段の滴下部を設け、第二の起泡フィルターの上側に第二の脱臭液供給手段の滴下部を設けて成ることを特徴とする請求項１記載の泡脱臭装置。
【請求項３】
第一の脱臭液供給手段の滴下部より酸化剤を含有する脱臭液を滴下すると共に、第二の脱臭液供給手段の滴下部より還元剤を含有する脱臭液を滴下して成ることを特徴とする請求項２記載の泡脱臭装置。
【発明の詳細な説明】
【技術分野】
【０００１】
本発明は、内部に脱臭洗浄する空気が流れる空気流路を有し、この空気流路内に脱臭液からなる泡を発生させて該泡に空気流路内を流れる空気に含有される汚染物質を吸着させて分解処理する泡脱臭装置に関するものである。
【背景技術】
【０００２】
従来より、脱臭、洗浄しようとする汚染物質を含有した空気を洗浄液を内部に散布する洗浄塔（スクラバー洗浄塔）内に通すことで脱臭、洗浄を行う洗浄装置が知られている（例えば特許文献１参照）。これは、洗浄塔内に充填材として、ラシヒリングや、木材、竹材等から形成されてなる多孔性炭化物、備長炭を充填した多孔質の充填部を設け、洗浄液を液貯留部から液供給流路を介してポンプを駆動することで洗浄液を前記充填部に上方のノズルから散布し、脱臭、洗浄しようとする空気を吸入経路を介してファンを駆動することで洗浄塔の下端部に設けた吸入開口より洗浄塔内に吸入する。吸入された空気は、充填部を上方に向けて通過して洗浄塔の上端部に設けた排出口から排出されるのであるが、充填部を通過する際に充填部を流れる洗浄液と空気とが接触して、空気に含有される汚染成分が吸着されることで除去される。
【０００３】
上記特許文献１に示されるようなラシヒリング等の合成樹脂製の充填材を用いる洗浄装置においては、洗浄液と脱臭、洗浄しようとする汚染成分を含有した空気との接触面積を広くするために多量の充填材が必要となり、装置の高さが高くなるとともに、ある程度の散水量が必要となってくる。
【０００４】
そこで、特許文献２に示されるように、汚染物質を含有する空気が流れる空気流路内に脱臭液の泡を発生させる起泡脱臭部を配設して、発生した泡に汚染物質を吸着させて分解処理するも脱臭装置が開発されている（例えば特許文献２参照）。起泡脱臭部は、脱臭液からなる泡を発生させるためのフィルター等からなる起泡フィルターと、この起泡フィルターの上側（下流側）に配設されるフィルター等からなるミストセパレータとで構成され、起泡フィルターにはノズルから散布された脱臭液が含浸しており、起泡フィルターを空気が通過する際に泡が発生する。
【０００５】
またこの脱臭装置には、ノズルから散布されて起泡フィルターに含浸して該起泡フィルターから落下した脱臭液を受けて貯留する液貯留部が設けてある。そして起泡フィルターに脱臭液を散布する上記ノズルには、この液貯留部に貯留されている脱臭液をポンプによって搬送している。
【０００６】
この従来の脱臭装置にあっては、多量の脱臭液を起泡フィルターに含浸させて空気が通過する時に発生する泡の量を充分に確保しているものの、起泡フィルターから落下した脱臭液を受けて貯留する液貯留部を設けているため配置スペースを多く取ってしまい、また、液貯留部からノズルに搬送するポンプも必要となるものであった。
【特許文献１】特開平２００３−１０５７号公報
【特許文献２】特開２００５−１５２７６８号公報
【発明の開示】
【発明が解決しようとする課題】
【０００７】
本発明は、上記の従来例の問題点に鑑みて発明したものであって、その目的とするところは、脱臭液を含浸して空気が通過する時に泡を発生させるための空隙物からなる起泡フィルターを備え、起泡フィルターの下側に起泡フィルターから落下した脱臭液を受けて貯留するタンクを設ける必要のない泡脱臭装置を提供することにある。
【課題を解決するための手段】
【０００８】
上記課題を解決するために請求項１に係る発明にあっては、汚染物質を含有する空気が流れる空気流路１内に脱臭液Ｌの泡Ｂを発生させて該泡Ｂに前記汚染物質を吸着させて分解処理する泡洗浄脱臭装置であって、脱臭液Ｌを供給するための脱臭液供給手段３と、前記脱臭液供給手段３より供給される脱臭液Ｌを含浸して下方に落下しないように保持すると共に空気が通過する時に泡を発生させるための空隙物からなる起泡フィルター２１と、を備えて成ることを特徴とするものである。
【０００９】
このような構成とすることで、起泡フィルター２１の下側に起泡フィルター２１から落下した脱臭液Ｌを受けて貯留するタンクを設ける必要がなくなるものであり、またこれにより、タンクから還流するための経路やポンプも不要となり、ワンパス供給が可能となる。
【００１０】
また、請求項２に係る発明は、請求項１に係る発明において、下側が上流側となり上側が下流側となる上方向きの空気流路１を形成し、前記空気流路１の途中に第一の起泡フィルター２１ａを配設すると共に該第一の起泡フィルター２１ａの上側に間隔を開けて第二の起泡フィルター２１ｂを配設し、前記起泡フィルター２１と第二の起泡フィルター２１ｂとの間に第一の脱臭液供給手段３の滴下部３１ａを設け、第二の起泡フィルター２１ｂの上側に第二の脱臭液供給手段３の滴下部３１ｂを設けて成ることを特徴とするものである。
【００１１】
このような構成とすることで、第一の脱臭液供給手段３の滴下部３１ａから脱臭液Ｌを第二の起泡フィルター２１ｂに滴下して含浸させ、第二の起泡フィルター２１ｂを第一の起泡フィルター２１ａと同様に機能させることができて、汚染物質の吸着を向上させることができる。
【００１２】
また、請求項３に係る発明は、請求項２に係る発明において、第一の脱臭液供給手段３の滴下部３１ａより酸化剤を含有する脱臭液Ｌを滴下すると共に、第二の脱臭液供給手段３の滴下部３１ｂより還元剤を含有する脱臭液Ｌを滴下して成ることを特徴とするものである。
【００１３】
このような構成とすることで、効果的な分解が行われる汚染物質の種類の範囲を拡大することができる。
【発明の効果】
【００１４】
本発明にあっては、起泡フィルターの下側に起泡フィルターから落下した脱臭液を受けて貯留するタンク等および該タンクから脱臭液を搬送するポンプを設ける必要がなくなってワンパス供給が可能となり、省スペース化を図ることができると共に、ポンプの設置コストを削減することができ、コンパクトで低価格となり更に省メンテナンス化を図ることが可能となる。
【発明を実施するための最良の形態】
【００１５】
本発明の泡脱臭装置は、悪臭物質分解剤を溶解した水溶液である脱臭液Ｌからなる泡Ｂを発生させ、この泡Ｂに、空気中に含有される臭気成分等の汚染成分を吸着・溶解させることで空気を洗浄・脱臭するもので、以下、本発明を添付図面に示す実施形態に基づいて説明する。
【００１６】
泡脱臭装置は、図１に示すように、主体となる上下に長い略矩形箱状をした本体ケーシング４５を備えている。
【００１７】
本体ケーシング４５の寸法形状は特に限定されないが、設置場所に応じて設計されるもので、本実施形態では左右の幅が約４００ｍｍ、奥行きが約２００ｍｍ、上下長さが約１３００ｍｍの略矩形箱状をしたものである。本体ケーシング４の内部は空気流路１となるもので、本実施形態では下側が上流側、上側が下流側となる上方向きの空気流路１が形成してある。本体ケーシング４の下部の側壁には本体ケーシング４５外に連通する吸入開口４１を形成してこれが空気流路１の上流側端部となっており、この吸入開口４１にファン（図示せず）を設けた流入管４４（図示せず）を接続し、ファンによって厨房等の脱臭対象となる空気を空気流路１内に吸入させるものである。本体ケーシング４の天面部には外部に連通する排出口４２が形成してあり、これが空気流路１の下流側端部となっている。なお本実施形態では排出口４２にはミストセパレータ４３が配設してあるが、後述するミストセパレータ２２を配設するためこのミストセパレータ４３は特に必要はなく、念のために設けてある。そして、空気流路１の途中すなわち本体ケーシング４内の吸入開口４１よりも上側であり且つ排出口４２の下側の部分には、図２に示すように、通気性部材あるいは多孔質材等の空隙物で形成される起泡フィルター２１及びミストセパレータ２２が配設される。起泡フィルター２１は、平面視で空気流路１全体に亙って略水平となるように配設し、ミストセパレータ２２は、前記起泡フィルター２１の空間を介して下流側（即ち本実施形態では上側）に該起泡フィルター２１と同様に平面視で空気流路１全体に略水平となるように配設する。
【００１８】
本実施形態の起泡フィルター２１は、撥水性素材のポリオレフィンからなるポーラスで、ポーラス径が１０〜１００μｍ、厚み１０〜２０ｍｍ（好ましくは１９ｍｍ）であり、厚み方向に密度勾配を有しており、上流側である下面側へ行くほど疎（すなわち空隙率大）、下流側である上面側へ行くほど密（すなわち空隙率小）となるように配設される。この起泡フィルター２１では、空気の流れがない状態で上面上に水位１ｃｍ以上（後述するが水位は可変となる）の水を保持することができる。また密度勾配を有していて、下面側が疎となっているため空気が流入し易いと共に、上面側が密となっているため保持している水が下方に浸入し難く、保水及び通気性に優れている。
【００１９】
また本実施形態では、起泡フィルター２１の上側にラシヒリング７を配置してある。起泡フィルター２１の上側には、網やパンチング等からなるラシヒリング支持部材７１を本体ケーシング４に固定して配置し、その上にラシヒリング７を配置してある。また、起泡フィルター２１は、図示しないが本体ケーシング４の側面に出入れ用開口が形成してあり、この出入れ用開口を介して起泡フィルター２１を側方に引き出すことで本体ケーシング４から取り出すことができ、また挿し入れて本体ケーシング４に装着することができ、本体ケーシング４内の起泡フィルター２１の上側に配置したラシヒリング７を取り出すことなく起泡フィルター２１のみの交換が可能となる。なお出入れ用開口は起泡フィルター２１を出入れする時以外は蓋等により閉塞しておく。
【００２０】
これにより、ラシヒリング７を設けない場合と比べて、泡Ｂの発生量が増加すると共にラシヒリング７の層での空気と脱臭液Ｌの接触面積が増加することとなって、汚染物質の吸着をより促進させることができる。
【００２１】
ミストセパレータ２２は、ミストが排出されないように分離するためのもので、一層のフィルターからなる。また、図示はしないが、このミストセパレータ２２の上側にも上述したようにラシヒリングを配置してもよい。この場合も、本体ケーシング４の側面のミストセパレータ２２と対応する部分に出入れ用開口を形成すると共に、ミストセパレータ２２の上側に上記ラシヒリング支持部材を配置し、その上にラシヒリングを配置することで、ラシヒリングを取り出すことなくミストセパレータ２２のみの交換が可能となる。
【００２２】
なお、起泡フィルター２１やミストセパレータ２２を形成する空隙物として、上述したポーラス等に限らず、例えば不織布、編物のほか綿のようなスポンジ、ウール、スチールタワシや、ハニカム構造を有するもの等でもよい。ハニカム構造を有するものの場合、接触性が高くなる。また、上述したミストセパレータ４３も同様の空隙物で形成する。
【００２３】
そして、起泡フィルター２１とミストセパレータ２２との間の空間には、起泡フィルター２１に脱臭液Ｌを滴下して供給する脱臭液供給手段３の滴下部３１を配設してある。この滴下部３１は、脱臭液供給経路３０の先端部に設けてあり、脱臭液供給経路３０の上流側端部には脱臭液貯留部３３が接続され、脱臭液供給経路３０の途中には上流側より開閉弁３４、流量調整部３５、ポンプ３６が設けてあり、起泡フィルター２１に供給された脱臭液Ｌは起泡フィルター２１の保持機能によって全面に保持される。またなお、脱臭液Ｌの供給には、脱臭液貯留部３３を滴下部３１よりも高い位置に配置して脱臭液Ｌの自重で搬送するようにしてもよい。
【００２４】
脱臭液Ｌについて説明する。脱臭液Ｌは、泡Ｂを発生し易くするとともに空気に含まれる悪臭の原因成分や汚物（以下、これらを総称して汚染物質というものとする）を分解処理するための悪臭物質分解剤とを含有する水溶液である。悪臭物質とは主に、硫化水素、メチルメルカプタン、硫化メチル、二硫化メチル、アンモニア、トリメチルアミン、アセトアルデヒドが挙げられ、このような悪臭物質には悪臭物質分解剤として酸、アルカリ、酸化剤、還元剤等の水溶液、植物抽出液、更に具体的には、硫酸、二酸化塩素、過酸化水素、次亜塩素酸ソーダ、過マンガン酸カリウム、塩素化イソシアヌル酸、オゾン水等が挙げられる。このうち、アンモニアやトリメチルアミンなどのアルカリ性臭気成分に対しては、酸性溶液が有効であり、硫化水素等の酸性臭気成分に対しては、アルカリ性溶液が有効であり、アルデヒド類の臭気成分に対しては、重亜硫酸ナトリウム等の還元剤が有効である。また、硫化水素、メチルメルカプタン、硫化メチル、二硫化メチル、アンモニア、トリメチルアミン、にんにく臭、焼肉臭には塩素系薬剤が有効で、特にその中でも塩素化イソシアヌル酸や次亜塩素酸ナトリウムが有効である。また、脱臭液に粉末状活性炭を混入した活性炭スラリーを用いるとメチルメルカプタンや硫化メチル、二硫化メチルなどの臭気成分に対して有効である。
【００２５】
また、余剰の脱臭液Ｌ又はその泡Ｂを排出する排出手段５として、本体ケーシング４の上記起泡フィルター２１とミストセパレータ２２の間の空間の側壁に第一の排水用開口５１が形成してあると共に、本体ケーシング４のミストセパレータ２２と略同レベルか若干上側の側壁に第二の排水用開口５２が形成してある。第一の排水用開口５１および第二の排水用開口５２にはそれぞれ排水管６が接続されると共に、これら排水管６は幹排水管６０に合流して排水される。またなお、本実施形態では、本体ケーシング４の下端部にドレン排水口４５およびドレン排水管４６が接続してある。
【００２６】
本実施形態では、第一の排水用開口５１に接続される排水管６の途中にクランクのようなコ字状をした水位調節管８が設けてある。これは、略水平な排水管６の途中に前記水位調節管８をそのコ字状をした中央管のレベルが可変となるように水位調節管８を回動可能に設け、これを回動してコ字状をした中央管のレベルＬｅを変えることで、起泡フィルター２１の上面上に溜まる水の水位を調節することができる。図２にレベルＬｅを変えた三つの状態を示し、（ａ）から（ｃ）にいくに従ってレベルＬｅが高くなっていく。
【００２７】
次に、本発明の泡脱臭装置の基本的な動作について説明する。
【００２８】
まず、吸入開口４１に接続した流入管４４のファンを稼動して厨房等内の脱臭洗浄しようとする空気を本体ケーシング４５内の空気流路１に吸入すると共に、滴下部３１より脱臭液Ｌを滴下供給して起泡フィルター２１に脱臭液Ｌを含浸させる。
【００２９】
吸入開口４１から吸入された空気は空気流路１を上方へ流れ、起泡フィルター２１を下方から上方へと通過する際、起泡フィルター２１にて保持されている脱臭液Ｌが起泡される。
【００３０】
起泡フィルター２１にて発生した泡Ｂは、起泡フィルター２１とミストセパレータ２２との間の空間に滞留し、泡Ｂの表面が空気と接触してその汚染物質を表面の脱臭液Ｌ内に吸着する。すなわち、泡Ｂが起泡フィルター２１とミストセパレータ２２との間に滞留している状態で、起泡フィルター２１の下方からミストセパレータ２２の上方へと流れる空気と泡Ｂとが大量に接触し、泡Ｂの空気との接触が促進されるものである。
【００３１】
起泡フィルター２１にて発生した泡Ｂは上述したように球面状の表面に汚染物質が吸着され、吸着された汚染物質は悪臭物質分解剤にて分解処理される。
【００３２】
起泡フィルター２１とミストセパレータ２２との間の空間に滞留している泡Ｂは、空気と接触しているうちに破泡され、汚染物質が分解処理されて生じた物質（以下、被処理物質という）を含有する脱臭液Ｌの液滴が落下して起泡フィルター２１に保持され、再び起泡されて泡Ｂとなって汚染物質が吸着される。これが繰り返されるうちに、脱臭液Ｌに含有される被処理物質の濃度が高くなって劣化していくため、起泡フィルター２１とミストセパレータ２２との間の空間に滞留している泡Ｂの一部を第一の排水用開口５１より排出し、脱臭液供給手段３により脱臭液Ｌを起泡フィルター２１に供給して補充する。起泡フィルター２１に、脱臭液Ｌの劣化を検知するためのＰＨセンサー等のセンサー（図示せず）を設けることで、脱臭液Ｌの劣化を検知することができて、脱臭液Ｌの劣化に応じて供給する脱臭液Ｌの量を調節して補充し、脱臭液Ｌの被処理物質の濃度を下げて脱臭液Ｌの劣化に対処することができる。本実施形態のように起泡フィルター２１に保持されている脱臭液Ｌの量は、従来例におけるタンク式のように大量にタンクに貯留されないため、タンク式の場合にはタンク内の脱臭液Ｌの劣化（すなわち被処理物質の濃度の変化）が検知し難いのに対し、本実施形態では脱臭液Ｌの被処理物質の濃度変化が早くて、脱臭液Ｌの劣化への対処を迅速に行うことができる。
【００３３】
汚染物質を除去された空気は、ミストセパレータ４３を介して排出口４２より本体ケーシング４外へと排出される。
【００３４】
また、ミストセパレータ２２に付着した脱臭液Ｌは第二の排水用開口５２から排水されるが、この時、この脱臭液Ｌを再び起泡フィルター２１に供給するようにしてもよく、これにより、効率の良い脱臭が行われるものである。
【００３５】
また、本体ケーシング４の吸入開口４１に接続される流入管４４に風速計を設けて本体ケーシング４内に吸入する空気の時間当たりの流量を計測し、この流量に基づいて、滴下部３１へ供給する脱臭液Ｌの流量を調節するようにしてもよい。この場合、開閉弁３４、流量調整部３５、ポンプ３６を駆動する駆動源および、これらを制御する制御部を設け、自動で制御を行うようにする。脱臭液Ｌの流量と本体ケーシング４内に流入させる空気の流量との関係は、予め試験を行って、空気の流量と第一の排水用開口５１から排出される泡Ｂの量との関係を求め、排出される量に相当する量の脱臭液Ｌを脱臭液供給手段３より供給するように制御部にて制御するようにする。
【００３６】
また、上述したような制御部を設けない場合には、計測された空気の流量から供給すべき脱臭液Ｌを前記関係より求め、手動で脱臭液Ｌの供給量を調節する方法を採ることとなる。
【００３７】
以上のように、脱臭液を供給するための脱臭液供給手段と、前記脱臭液供給手段より供給される脱臭液を含浸して下方に落下しないように保持すると共に空気が通過する時に泡を発生させるための空隙物からなる起泡フィルター２１とを設けたことで、起泡フィルター２１の下側に起泡フィルター２１から落下した脱臭液Ｌを受けて貯留するタンク等および該タンクから脱臭液Ｌを搬送するポンプを設ける必要がなくなり、省スペース化を図ることができると共にポンプの設置コストを削減することができ、コンパクトで低価格となり更に省メンテナンス化を図ることが可能となる。
【００３８】
次に、他の実施形態について図３に基づいて説明する。なお、上実施形態と同じ部分については同符号を付して説明を省略し、主に異なる部分について説明する。
【００３９】
本実施形態では、上実施形態の起泡フィルター２１を第一の起泡フィルター２１ａとすると共に、ミストセパレータ２２に替えて第二の起泡フィルター２１ｂを配設するものである。第一の起泡フィルター２１ａと第二の起泡フィルター２１ｂは基本的に同じものでよい。
【００４０】
更に本実施形態では、脱臭液供給手段３として、第一の起泡フィルター２１ａに脱臭液Ｌを滴下するための第一の脱臭液供給手段３ａ、第二の起泡フィルター２１ｂに脱臭液Ｌを滴下するための第二の脱臭液供給手段３ｂ、をそれぞれ設けてある。第一の脱臭液供給手段３ａと第二の脱臭液供給手段３ｂは、それぞれ脱臭液供給経路３０、脱臭液貯留部３３、開閉弁３４、流量調整部３５、ポンプ３６を別々に設けてあると共に、各脱臭液供給経路３０の下流側の端部には滴下部３１ａ、３１ｂがそれぞれ設けてあり、第一の起泡フィルター２１ａ、第二の起泡フィルター２１ｂにそれぞれ脱臭液が滴下されるようになっている。
【００４１】
また、排水手段５として、本体ケーシング４の第二の起泡フィルター２１ｂと該第二の起泡フィルター２１ｂの間の空間の側壁に第三の排水用開口５３が形成してあると共に、本体ケーシング４のミストセパレータ４３と略同レベルか若干上側の側壁に第四の排水用開口５４が形成してある。なお、本実施形態では第二の排水用開口５２は閉じておく。第三の排水用開口５３および第四の排水用開口５４にはそれぞれ排水管６が接続されると共に、これら排水管６は上記幹排水管６０に合流して排水される。
【００４２】
第二の脱臭液供給手段３ｂの滴下部３１ｂを設けたことで、空気中の汚染物質の濃度が高くて第一の起泡フィルター２１ａで生成した泡Ｂのみでは汚染物質の吸着が充分に行われない場合でも、前記滴下部３１ｂから脱臭液Ｌを第二の起泡フィルター２１ｂに滴下して含浸させ、第一の起泡フィルター２１ａと第二の起泡フィルター２１ｂの二つのフィルターにて起泡させて泡Ｂを起泡フィルター２１を一つ設けた場合の二倍の量を発生させることができ、汚染物質の吸着を向上させることができる。
【００４３】
また本実施形態では、第一の脱臭液供給手段３ａの滴下部３１ａより悪臭物質分解剤として酸化剤を含有する脱臭液Ｌを滴下すると共に、第二の脱臭液供給手段３ｂの滴下部３１ｂより悪臭物質分解剤として還元剤を含有する脱臭液Ｌを滴下するものである。
【００４４】
空気中の汚染物質には様々なものがあり、上述したように汚染物質の種類によって適した悪臭物質分解剤が異なるため、一種類の脱臭液Ｌのみを滴下する場合には効果的な分解が行われる範囲が限定されてしまうが、本実施形態のように酸化剤および還元剤を含有する二種類の脱臭液Ｌを滴下可能としたことで、効果的な分解が行われる範囲を拡大することができる。
【００４５】
更に本実施形態の場合、主に第一の排水用開口５１から排出される酸化剤を含んだ排水と、主に第三の排水用開口５３、第四の排水用開口５４から排出される還元剤を多く含んだ排水とが幹排水管６０にて合流して中和するため、後処理としての中和工程が特に必要なくなるという利点もある。
【００４６】
なお、上記第一の脱臭液供給手段３ａの滴下部３１ａより還元剤を含有する脱臭液Ｌを滴下すると共に、第二の脱臭液供給手段３ｂの滴下部３１ｂより悪臭物質分解剤として酸化剤を含有する脱臭液Ｌを滴下してもよい。
【００４７】
また、図１及び図２に示す実施形態のように排水管６の途中に水位調節管８を設けてもよい。
【図面の簡単な説明】
【００４８】
【図１】本発明の一実施形態の構成図である。
【図２】（ａ）（ｂ）（ｃ）は同上の実施形態の水位調節管によるレベルＬｅを可変にした状態の説明図である。
【図３】他の実施形態の構成図である。
【符号の説明】
【００４９】
１  空気流路
２１  起泡フィルター
２２  ミストセパレータ
３  脱臭液供給手段
Ｌ  脱臭液
Ｂ  泡
【図１】
2008029924.tif 000003
【図２】
2008029924.tif 000004
【図３】
2008029924.tif 000005